(57)【要約】【課題】運搬しても尿がこぼれない尿タンクを提供すること。【解決手段】尿タンク３０は、対象者から排泄された尿を溜める尿処理装置に用いられ、略箱状のタンク本体３１と、このタンク本体３１の内部に配置された、尿を高吸収して保持する吸収体４１と、を備えている。これにより、液体である尿がタンク本体３１内に流入すると、吸収体４１が尿を吸収してゲル状や固形状となる。したがって、尿タンク３０を運搬する際に、尿が飛散しないから、尿がこぼれるのを防止できる。また、尿が吸収体４１に吸収されるので、尿の揮発性が低下し、尿タンク３０から放出される臭気を低減できる。さらに、尿が吸収体４１に吸収されることにより、尿の酸化、分解を抑えることができ、尿を尿タンク３０に長時間溜めておいても、雑菌の繁殖を抑えることができ、衛生的である。【選択図】        図３
2005177165.tif 000002
【特許請求の範囲】
【請求項１】
対象者から排泄された尿を溜める尿処理装置に用いられる尿タンクであって、
略箱状のタンク本体と、このタンク本体の内部に配置された、尿を高吸収して保持する吸収体と、を備えていることを特徴とする尿タンク。
【請求項２】
前記吸収体は、消臭性および／または抗菌性を備えるものであることを特徴とする請求項１に記載の尿タンク。
【請求項３】
前記吸収体は、小単位に分割されて形成されていることを特徴とする請求項１または２に記載の尿タンク。
【請求項４】
前記吸収体の小単位は、前記タンク本体の上下方向に並んで配置されていることを特徴とする請求項３に記載の尿タンク。
【請求項５】
前記吸収体を収納しかつ通液性を有する収納袋を備えていることを特徴とする請求項１から４のいずれかに記載の尿タンク。
【請求項６】
前記収納袋は、水解性または水崩壊性を有することを特徴とする請求項５に記載の尿タンク。
【請求項７】
前記タンク本体は、紙で形成された基材と、この基材の表裏面のうち少なくとも一方に積層された防水層と、を有する防水性シートで形成されていることを特徴とする請求項１から６のいずれかに記載の尿タンク。
【請求項８】
前記タンク本体は、色の変化により尿の成分を検出する試験紙を保持する試験紙保持部と、この試験紙を外部から視認可能な窓と、を備えていることを特徴とする請求項１から７のいずれかに記載の尿タンク。
【請求項９】
前記吸収体には、色の変化により尿の成分を検出する試薬が含有され、
前記タンク本体は、前記吸収体を外部から視認可能な窓を備えていることを特徴とする請求項１から７のいずれかに記載の尿タンク。
【請求項１０】
排泄された尿を受止める尿レシーバと、この尿レシーバに導尿チューブを介して接続された尿タンクと、前記尿レシーバに設けられた尿検知センサと、前記尿検知センサで尿が検知されると、前記尿レシーバ内の尿を導尿チューブを介して尿タンクに圧送するポンプ機構と、を備える尿処理装置であって、
前記尿タンクは、請求項１から９のいずれかに記載の尿タンクであることを特徴とする尿処理装置。
【発明の詳細な説明】
【技術分野】
【０００１】
本発明は、対象者から排泄された尿を溜める尿タンクおよびこの尿タンクを備えた尿処理装置に関し、例えば、老人、入院患者、身障者等の排尿を補助できる。
【背景技術】
【０００２】
従来より、老人、入院患者、身障者等では、自分の意思で排尿を制御することが困難になる場合がある。この場合、排尿を補助する装置として、尿処理装置が利用されている。尿処理装置は、例えば、排泄された尿を受止める尿レシーバと、この尿レシーバに導尿チューブを介して接続された尿タンクと、尿レシーバに設けられた尿検知センサと、尿検知センサで尿が検知されると、尿レシーバ内の尿を導尿チューブを介して尿タンクに圧送するポンプ機構と、を備えている（特許文献１〜５参照）。
【０００３】
以上の尿処理装置では、尿レシーバを対象者に着用させるだけで、対象者から排泄された尿を尿レシーバが受け止める。すると、この受け止めた尿を尿検知センサが検出して、ポンプが駆動し、尿レシーバ内の尿を尿タンクに圧送する。したがって、対象者から排泄された尿を、尿レシーバから尿タンクに迅速に移動できるから、尿レシーバの装着感を快適な状態で維持できる。
【特許文献１】特開平８−１９１８５２号公報
【特許文献２】特開平１０−４３２８９号公報
【特許文献３】特開平１１−３４２１４４号公報
【特許文献４】特開２０００−１５２９５３号公報
【特許文献５】特開平１１−２０６８２５号公報
【発明の開示】
【発明が解決しようとする課題】
【０００４】
ところで、上述した尿処理装置では、ある程度の量の尿が尿タンク内に溜まると、この尿を廃棄する必要がある。この場合、導尿チューブを尿タンクから取り外し、尿タンクをトイレまで運搬して、尿をトイレに捨てた後、尿タンクを再び設置場所まで運搬して、尿タンクに導尿チューブを接続する。しかしながら、尿タンクをトイレまで運搬する間に、尿がこぼれるおそれがあった。
【０００５】
本発明の目的は、運搬しても尿がこぼれない尿タンクを提供することにある。
【課題を解決するための手段】
【０００６】
（１）対象者から排泄された尿を溜める尿処理装置に用いられる尿タンクであって、略箱状のタンク本体と、このタンク本体の内部に配置された、尿を高吸収して保持する吸収体と、を備えていることを特徴とする尿タンク。
【０００７】
ここで、「対象者」とは、自分の意思で排尿を制御することが困難な者を意味し、例えば、一部の老人、重篤な入院患者、身動きの取り難い身障者等が該当する。また、本明細書でいう「吸収体」は、尿を吸収するとともに、この吸収した尿を保持するものであり、その種類は問わないが、具体的には、パルプや高吸収性樹脂（super  absorbant  polymer、通称ＳＡＰ）等の高吸収性材料からなる。このうち、ＳＡＰは、尿の成分と分子レベルで結びつくことにより、尿を吸収するものである。
【０００８】
この発明によれば、タンク本体の内部に吸収体を配置したので、液体である尿がタンク本体内に流入すると、吸収体が尿を吸収してゲル状や固形状となる。したがって、尿タンクを運搬する際に、尿が飛散しないから、尿がこぼれるのを防止できる。また、尿が吸収体に吸収されるので、尿の揮発性が低下し、尿タンクから放出される臭気を低減できる。さらに、尿が吸収体に吸収されることにより、尿の酸化、分解を抑えて、尿を尿タンクに長時間溜めておいても、雑菌の繁殖を抑えることを期待できる。
【０００９】
（２）前記吸収体は、消臭性および／または抗菌性を備えるものであることを特徴とする（１）に記載の尿タンク。
【００１０】
ここで、「消臭性」とは、不快な匂いを消す性質をいい、「抗菌性」とは、細菌の繁殖を抑制する性質をいう。この発明によれば、吸収体を消臭性および抗菌性を備える複数の粒状物で構成したので、尿タンク内を衛生的な状態に維持できる。
【００１１】
（３）前記吸収体は、小単位に分割されて形成されていることを特徴とする（１）または（２）に記載の尿タンク。
【００１２】
この発明によれば、吸収体を小単位に分割して形成したので、吸収体の偏りを防止できるので、吸収体が塊で存在することによるゲルブロッキング現象を極力抑えることができる。
【００１３】
（４）前記吸収体の小単位は、前記タンク本体の上下方向に並んで配置されていることを特徴とする（１）から（３）のいずれかに記載の尿タンク。
【００１４】
吸収体は尿を吸収すると膨張するが、この吸収体の膨張は、タンク本体の壁面で規制されるおそれがある。そこで、この発明によれば、吸収体の小単位をタンク本体の上下方向に並んで配置したので、吸収体の各小単位が膨張する空間を確保でき、尿を確実に吸収できる。また、吸収体全体に均一に尿を吸収させることができるので、吸収体を効率的に利用できる。
【００１５】
（５）前記吸収体を収納しかつ通液性を有する収納袋を備えていることを特徴とする（１）から（４）のいずれかに記載の尿タンク。
【００１６】
ここで、「通液性」とは、液体、具体的には尿を透過させる性質をいう。この発明によれば、尿タンクに吸収体を収納しかつ通液性を有する収納袋を設けたので、吸収体がタンク本体の内部に分散するのを防止できるから、吸収体を容易に取り扱うことができる。特に、収納袋に複数の分包を設け、吸収体の小単位を各分包に収納すれば、吸収体を均整のとれた状態で維持できるから、吸収体を容易に持ち運びできるうえに、廃棄する際の取り扱いも容易になる。
【００１７】
（６）前記収納袋は、水解性または水崩壊性を有することを特徴とする（５）に記載の尿タンク。
【００１８】
ここで、「水解性」および「水崩壊性」とは、収納袋が尿に浸ると、この尿で収納袋が崩壊して原形をとどめないように小片状にこなされる性質をいう。吸収体は、尿を吸収して膨張するが、このとき、吸収体の膨張を収納袋が拘束することにより、吸収体の膨張が抑制され、尿タンク内の尿を全て吸収しきれない場合がある。しかしながら、この発明によれば、収納袋を水解性または水崩壊性を有する材料で形成したので、尿で収納袋が水解または水崩壊するため、吸収体の膨張を収納袋が拘束しないから、尿タンク内の尿を確実に吸収できる。
【００１９】
（７）前記タンク本体は、紙で形成された基材と、この基材の表裏面のうち少なくとも一方に積層された防水層と、を有する防水性シートで形成されていることを特徴とする（１）から（６）のいずれかに記載の尿タンク。
【００２０】
ここで、防水層は、例えば、紙で形成された基材上に樹脂をコーティングして形成される。この発明によれば、タンク本体を、基材および防水層を有する防水性シートで形成したので、尿タンクを使い捨てできるから、尿タンクの洗浄作業が不要となり、尿タンクの使い勝手を向上できる。
【００２１】
（８）前記タンク本体は、色の変化により尿の成分を検出する試験紙を保持する試験紙保持部と、この試験紙を外部から視認可能な窓と、を備えていることを特徴とする（１）から（７）のいずれかに記載の尿タンク。
【００２２】
（９）前記吸収体には、色の変化により尿の成分を検出する試薬が含有され、前記タンク本体は、前記吸収体を外部から視認可能な窓を備えていることを特徴とする（１）から（７）のいずれかに記載の尿タンク。
【００２３】
ここで、「尿の成分を検出する」とは、例えば、ｐｈ、タンパク定性、ブドウ糖定性、ウロビリノゲン定性、ビリルビン定性、ケトン体、潜血反応、亜硝酸塩、白血球反応を検出することが含まれる。尿は、人間の体から排泄された汚物であるが、健康状態を示す目安でもある。そこで、この発明によれば、タンク本体内に尿の成分を検出する試薬を含有させたり試験紙を配置したりするとともに、これら試薬や試験紙を視認可能な窓を設けた。よって、窓を通して試験紙または試薬の色の変化を確認することにより、尿の成分を分析して、健康状態を確認できる。
【００２４】
（１０）排泄された尿を受止める尿レシーバと、この尿レシーバに導尿チューブを介して接続された尿タンクと、前記尿レシーバに設けられた尿検知センサと、前記尿検知センサで尿が検知されると、前記尿レシーバ内の尿を導尿チューブを介して尿タンクに圧送するポンプ機構と、を備える尿処理装置であって、前記尿タンクは、（１）から（９）のいずれかに記載の尿タンクであることを特徴とする尿処理装置。
【００２５】
この発明によれば、尿処理装置を、尿レシーバ、尿タンク、尿検知センサ、およびポンプ機構を含んで構成した。これにより、尿タンクからの尿の飛散を防止できるので、ポンプ機構に尿が流出して、ポンプ機構が故障するのを防止できる。また、尿タンクから放出される臭気を低減できるので、例えば、脱臭フィルタのような脱臭装置を小型化できる。
【発明の効果】
【００２６】
本発明の尿タンクおよび尿処理装置によれば、次のような効果が得られる。タンク本体の内部に吸収体を配置したので、液体である尿がタンク本体内に流入すると、吸収体が尿を吸収してゲル状や固形状となる。したがって、尿タンクを運搬する際に、尿が飛散しないから、尿がこぼれるのを防止できる。また、尿が吸収体に吸収されるので、尿の揮発性が低下し、尿タンクから放出される臭気を低減できる。さらに、尿が吸収体に吸収されることにより、尿の酸化、分解を抑えて、尿を尿タンクに長時間溜めておいても、雑菌の繁殖を抑えることを期待できる。
【発明を実施するための最良の形態】
【００２７】
以下、本発明の一実施形態を図面に基づいて説明する。図１には、本実施形態に係る尿処理装置の模式図が示されている。
【００２８】
尿処理装置１は、対象者（着用者）から排泄された尿を溜めるものであって、排泄された尿を受止める尿レシーバ１１と、この尿レシーバ１１に導尿チューブ１２を介して接続された尿タンク３０と、尿レシーバ１１に設けられた尿検知センサ１４と、尿検知センサ１４で尿が検知されると、尿レシーバ１１内の尿を導尿チューブ１２を介して尿タンク３０に圧送するポンプ機構２０と、を備える。
【００２９】
尿レシーバ１１は、対象者の股間に装着されて、対象者の排尿部から排泄される尿を受け止めるものであり、一定方向に延びるすり鉢形状となっている。この尿レシーバ１１は、図２に示すように、防漏シート１１１、支持シート１１２、通液性シート１１３、空間保持材１１４、難通気性シート１１５、一時貯液シート１１６、および、ギャザー１１７を積層して形成されている。このうち、防漏シート１１１および支持シート１１２には、貫通孔１１８が形成され、この貫通孔１１８に導尿チューブ１２が挿入される。
【００３０】
防漏シート１１１は、非通水性の薄肉のシートである。支持シート１１２は、弾力性を有する素材で形成され、防漏シート１１１の全面に亘って接合されている。通液性シート１１３は、支持シート１１２の全面に亘って接合されている。
【００３１】
空間保持材１１４は、複数の粒状物で構成される。この空間保持材１１４を構成する粒状物は、通液性シート１１３の表面に、固定されていない状態で、一段に並んで配置されている。なお、空間保持材１１４を複数の粒状物で構成したのは、尿を吸引する空気層（吸尿空間）を多く確保するためである。また、これら粒状物を固定しないのは、柔軟性を確保するためである。
【００３２】
難通気性シート１１５は、空間保持材１１４を覆うとともに、端部で支持シート１１２を挟んで防漏シート１１１に接合されている。一時貯液シート１１６は、尿を一時的に溜めておくものであり、例えば、嵩高で低密度の不織布が用いられる。対象者は一回毎に一定量の尿を排泄するため、この尿を導尿チューブ１２から排出するのに時間がかかる。そのため、一時貯液シート１１６に尿を一時的に溜めておく必要がある。ギャザー１１７は、一時貯液シート１１６に立設されており、装着時に対象者に密着することにより、対象者の動作や姿勢の変更等による横漏れを防止するものである。
【００３３】
図１に戻って、尿検知センサ１４は、２つの電極１４１を有している。尿レシーバ１１が尿を受け止めると、２つの電極１４１が尿に浸って導通し、検知信号が尿検知センサ１４からポンプ機構２０に送信される。
【００３４】
図３には、尿タンク３０の斜視図が示されている。尿タンク３０は、略箱状のタンク本体３１と、このタンク本体３１の内部に収容されて尿を吸収する３つの吸収部材４０と、を備えている。このタンク本体３１の内面には、銀・銅等を主成分とする化合物（ゼオライト）が添加された樹脂がコーティングされている。
【００３５】
タンク本体３１は、上面に開口３２６が形成された略箱状の尿収容部３２と、この尿収容部３２の開口３２６に開閉可能に取り付けられた蓋部３３と、を備える。
【００３６】
尿収容部３２は、色の変化により尿の成分を検出する試験紙３２１と、この試験紙３２１を外部から視認可能な窓３２３と、を備えている。窓３２３は、尿収容部３２の一側面の一部に形成されている。試験紙３２１は、短冊状のプラスチック片に試薬を含ませて乾燥した濾紙を貼り付けて形成される。この試験紙３２１は、両面テープ等の接着材を用いて、窓３２３の内側に貼り付けられており、吸収部材４０を交換する際に、一緒に交換してもよい。したがって、窓３２３の内側の面で、請求項に記載の試験紙保持部が構成される。この試験紙３２１は、最大１０項目程度を同時に検査できる複合試験紙である。なお、この検査項目の例を以下に挙げる。
【表１】
2005177165.tif 000003
【００３７】
蓋部３３には、導尿チューブ１２が接続される導尿口３３１と、後述する吸引チューブ２１が接続される吸引口３３２とが形成されている。
【００３８】
各吸収部材４０は、尿収容部３２の内部に立てかけた状態で配置される。なお、図３では、各吸収部材４０は起立しているように見えるが、実際には、尿収容部３２の内面に立てかけられている。この吸収部材４０は、図４に示すように、尿を高吸収して保持する吸収体４１と、この吸収体４１を収納しかつ通液性を有する収納袋４２と、を備えている。
【００３９】
吸収体４１は、消臭性および抗菌性を備える複数の粒状物で構成されている。この理由は、単位体積当たりの表面積を広く確保して、吸収速度を向上させるためである。
【００４０】
収納袋４２は、互いに対向配置した２枚の通液性シート４２１を熱接着させて形成されている。この収納袋４２は、内部を複数の区画に仕切ることにより形成された１２個の分包４２２を備えている。各分包４２２は、それぞれ所定量の粒状物を収容することにより、吸収体４１を小単位に分割して収容する。したがって、図３に示すように、吸収体４１の小単位は、タンク本体３１の上下方向に並んで配置されている。
【００４１】
図１に戻って、ポンプ機構２０は、吸引チューブ２１を介して尿タンク３０に接続されたポンプ２２と、このポンプ２２を回転駆動させるモータ２３と、このモータ２３を制御する制御回路２４と、この制御回路２４に電源を供給するバッテリ２５と、を備える。ポンプ２２は、図示しない脱臭フィルタを内蔵しており、吸引チューブ２１から吸引した空気を、脱臭フィルタを通して、排気口２２１から排出する。
【００４２】
このポンプ機構２０によれば、尿検知センサ１４から制御回路２４に検知信号が送信されると、制御回路２４は、検知信号を受信して、モータ２３に駆動信号を送信する。すると、モータ２３は、ポンプ２２を駆動させる。これにより、ポンプ２２は、吸引チューブ２１を介して尿タンク３０内の空気を吸引して、尿タンク３０内の負圧にする。この尿タンク３０内外の圧力差により、尿レシーバ１１内の尿が導尿チューブ１２を通って、尿タンク３０内に移動する。一方、吸引チューブ２１を介して吸引された空気は、ポンプ２２内の脱臭フィルタで脱臭された後、排気口２２１から排気される。
【００４３】
以上の尿処理装置１によれば、排尿された尿は、尿レシーバ１１にて受止められる。すると、この尿は尿検知センサ１４で検知されて、ポンプ２２によって、尿レシーバ１１から導尿チューブ１２を介して尿タンク３０に貯蔵される。
【００４４】
ここで、タンク本体３１への尿の流入に伴う吸収部材４０の変化について、図５〜図８を参照しながら説明する。まず、タンク本体３１に尿が全くない状態では、図５に示すように、吸収部材４０は全く膨張していない。この状態で、タンク本体３１に尿が流入すると、この尿はタンク本体３１の下部に溜まる。すると、吸収部材４０の下段の分包４２２は、流入する尿を吸収して膨張する。その結果、図６に示すように、タンク本体３１内の尿は、全て、吸収部材４０の下段の分包４２２に吸収される。
【００４５】
さらに、タンク本体３１に尿が流入すると、吸収部材４０の下段の分包４２２だけでは尿を吸収しきれず、タンク本体３１内部に尿が溜まって、吸収部材４０の中段の分包４２２も尿に浸る。すると、図７に示すように、吸収部材４０の中段の分包４２２は、流入する尿を吸収して膨張する。
【００４６】
以上の尿処理装置は、具体的には、以下のように構成される。
１．尿レシーバ
防漏シート    ：ＰＥ製フィルム  厚み１５μｍ
支持シート    ：発泡ＰＥシート  厚み２ｍｍ
通液性シート  ：ナイロン製平織りメッシュシート（線径約０．０４ｍｍ、打込み本数
１００本/１ｃｍ）
空間保持材    ：発泡スチレン製ビーズ（直径約６ｍｍ）
難通気性シート：ＳＭＳ不織布（５４ｇ/ｍ２）
一時貯水シート：サーマルボンド不織布（目付：２２５ｇ/ｍ２、厚み：２０ｍｍ、密度
：０．０１ｇ/ｃｍ３）
防漏シートおよび支持シートに形成された貫通孔：φ６ｍｍ
２．導尿チューブ:シリコーン製（内径φ４ｍｍ、外径φ６ｍｍ、長さ１０００ｍｍ）
３．尿タンク
タンク本体
外形寸法：４０ｍｍ×１００ｍｍ×２００ｍｍ（材質：アクリル）
導尿口  ：内径φ４ｍｍ
吸引口  ：内径φ４ｍｍ
窓      ：２０ｍｍ×７５ｍｍ（材質：アクリル）
吸収体  ：ＳＡＰ１２．６ｇ（０．３５ｇ×３６区画）、吸収速度（Ｖｏｒｔｅｘ法）
：３０ｓｅｃ、吸収倍率：６０（ｇ/ｇ）保水倍率：４０（ｇ/ｇ）
収納袋    ：９０ｍｍ×１５０ｍｍ（分包は、２２．５ｍｍ×５０ｍｍ×１２）、ナイ
ロン製平織りメッシュシート製（線径：約０．０４ｍｍ打込み本数：１０
０本/１ｃｍ）
４．ポンプ機構
吸引チューブ：シリコーン製  内径φ４  外径φ６  長さ５００ｍｍ
ポンプ      ：真空ポンプ（応研精工(株)  Ｒｏｌｌｉｎｇ  Ｐｕｍｐ  ＲＴＳ２７Ａ
０４）
【００４７】
したがって、本実施形態によれば以下の効果がある。
【００４８】
尿タンク３０をタンク本体３１と吸収部材４０とを含んで構成したので、液体である尿がタンク本体３１内に流入すると、吸収部材４０が尿を吸収してゲル状や固形状となる。したがって、尿タンク３０を運搬する際に、尿が飛散しないから、尿がこぼれるのを防止できる。また、尿が吸収部材４０に吸収されるので、尿の揮発性が低下し、尿タンク３０から放出される臭気を低減できる。さらに、尿が吸収部材４０に吸収されることにより、尿の酸化、分解を抑えて、尿を尿タンク３０に長時間溜めておいても、雑菌の繁殖を抑えることを期待できる。
【００４９】
吸収体を消臭性および抗菌性を備える複数の粒状物で構成したので、尿タンク３０内を衛生的な状態に維持できる。
【００５０】
吸収体４１を小単位に分割して形成したので、吸収体の偏りを防止でき、吸収体が塊で存在することによるゲルブロッキング現象を極力抑えることができる。
【００５１】
吸収体４１の小単位をタンク本体３１の上下方向に並んで配置したので、吸収体４１の各分包４２２が膨張する空間を確保できるから、尿を確実に吸収できる。また、吸収体４１全体に均一に尿を吸収させることができるので、吸収体４１を効率的に利用できる。
【００５２】
尿タンク３０に吸収体４１を収納しかつ通液性を有する収納袋４２を設けたので、複数の粒状物で構成した吸収体４１が分散するのを防止できるから、吸収体４１を容易に取り扱うことができる。
【００５３】
収納袋４２に複数の分包４２２を設け、吸収体４１を分包４２２に分割して収納した。これにより、吸収体４１を均整のとれた状態で維持できるから、吸収体４１を容易に持ち運びできるうえに、廃棄する際の取り扱いも容易になる。
【００５４】
タンク本体３１を、色の変化により尿の成分を検出する試験紙３２１を保持する試験紙保持部と、この試験紙３２１を外部から視認可能な窓３２３とで構成したので、窓３２３を通して試験紙３２１の色の変化を確認することにより、尿の成分を分析して、健康状態を確認できる。
【００５５】
なお、本発明は前記実施形態に限定されるものではなく、本発明の目的を達成できる範囲での変形、改良等は本発明に含まれるものである。
【００５６】
例えば、前記実施形態では、タンク本体３１をアクリル製としたが、これに限らず、紙で形成された基材と、この基材の表裏面のうち少なくとも一方に積層された防水層と、を有する防水性シートで形成してもよい。このようにすれば、尿タンクを使い捨てできるから、尿タンクの洗浄作業が不要となり、尿タンクの使い勝手を向上できる。
【００５７】
また、前記実施形態では、収納袋をナイロン製平織りメッシュシートで形成したが、これに限らず、収納袋を水解性または水崩壊性を有する材料で形成してもよい。このようにすれば、尿で収納袋が水解または水崩壊するため、吸収体の膨張を収納袋が拘束しないから、尿タンク内の尿を確実に吸収できる。
【００５８】
また、前記実施形態では、試験紙３２１を窓３２３の内面に貼り付けたが、これに限らない。すなわち、図９に示すように、試験紙保持部を３２２を、窓３２３と、この窓３２３の内側に所定間隔おいて取り付けられた板部材３２４と、を含んで構成する。この窓３２３と板部材３２４との間に試験紙３２１を差し込むことにより、試験紙保持部３２２は、試験紙３２１を保持する。このようにすれば、試験紙３２１に接着材を貼り付ける必要がなく、容易に試験紙３２１をタンク本体３１の内部に保持できる。また、吸収体に色の変化により尿の成分を検出する試薬を含有させ、タンク本体に、吸収体を外部から視認可能な窓を設けてもよい。
【００５９】
また、前記実施形態では、尿収容部３２の側面の一部に窓３２３を設けたが、これに限らず、尿収容部の側面全面を窓としてもよい。また、尿タンク３０の容量、吸収部材４０の個数、吸収体４１の量は、対象者の尿の量によって、適宜設定されてよい。
【実施例１】
【００６０】
実施例１を次の手順で製造した。まず、パルプとＳＡＰとを混合した吸収体サンプルに消臭剤を添加し、密閉容器に入れた。その後、吸収体サンプルの中央部へ生理食塩水に溶解させた悪臭物質を１００ｍｌ投入した。この悪臭物質は、ジメチルアミン＝０．２ｗｔ％、アセトルアルデヒド＝０．０１ｗｔ％、ｎ−酪酸＝０．２ｗｔ％とした。なお、ガスの発生を防止するため、５℃の室内で調整した。
【００６１】
また、比較例１として、悪臭物質のみを密閉容器に入れたものを用いた。つまり、比較例１は、吸収体サンプルを用いていない点が実施例１と異なる。
【００６２】
この実施例１および比較例１のヘッドスペースガス濃度を、検知管を用いて測定した。ここで、検知管としては、ガステック社製、アミン＝１８０、アセトアルデヒド＝９２Ｍ、ｎ−酪酸＝８１Ｌを用いた。また、安定的にガスを発生させるため、３７℃の室内で測定した。実施例１および比較例１のガス濃度と時間との関係を表２に表す。
【表２】
2005177165.tif 000004
【００６３】
表２から、実施例１は、ジメチルアミン、アセトアルデヒト、ｎ−酢酸の各ガス濃度が比較例１よりも低いことが判明した。これにより、吸収体に臭気低減効果があることを確認できた。
【図面の簡単な説明】
【００６４】
【図１】本発明の一実施形態に係る尿処理装置を示す模式図。
【図２】前記実施形態に係る尿レシーバの模式図。
【図３】前記実施形態に係る尿タンクの斜視図。
【図４】前記実施形態に係る吸収体および収納袋の斜視図。
【図５】前記実施形態に係る吸収体に尿が全く吸収されていない状態を示す尿タンクの断面図。
【図６】前記実施形態に係る吸収体の下段に尿が吸収された状態を示す尿タンクの断面図。
【図７】前記実施形態に係る吸収体の中段に尿が吸収された状態を示す尿タンクの断面図。
【図８】前記実施形態に係る吸収体の上段に尿が吸収された状態を示す尿タンクの断面図。
【図９】本発明の変形例に係る試験紙保持部を示す斜視図。
【符号の説明】
【００６５】
１    尿処理装置
１１    尿レシーバ
１２    導尿チューブ
１４    尿検知センサ
２０    ポンプ機構
３０    尿タンク
３１    タンク本体
４１    吸収体
４２    収納袋
３２１    試験紙
３２２    試験紙保持部
３２３    窓
４２１    通液性シート
【図１】
2005177165.tif 000005
【図２】
2005177165.tif 000006
【図３】
2005177165.tif 000007
【図４】
2005177165.tif 000008
【図５】
2005177165.tif 000009
【図６】
2005177165.tif 000010
【図７】
2005177165.tif 000011
【図８】
2005177165.tif 000012
【図９】
2005177165.tif 000013